(57)【要約】【課題】高齢者など読速力や聴力の低下した視聴者は、話す速度の速い音声などは内容を理解するのが難しいという問題があった。【解決手段】デジタル放送において、音声情報を複数種類放送することが可能で、そのうち少なくとも一種類に音声速度を変換した音声データが含まれるようにした。デジタル放送のトランスポートストリームから映像、音声データの選択、出力、および番組情報のデータの選択、取得を行い、予めユーザーの設定により放送で送られてくる番組情報ジャンルに応じ、音声速度を変換した音声データをデコード可能とした。【選択図】図１
2005303879.tif 000002
【特許請求の範囲】
【請求項１】
デジタル放送を受信可能なチューナーと、前記チューナー出力より所望のトランスポートストリームを選局する復調手段と、復調手段の出力するトランスポートストリームから音声データの選択、出力、および番組情報のデータの選択、取得を行うトランスポートデコード手段と、前記番組情報のデータの展開・蓄積を行うＲＡＭメモリと、予めユーザーが設定した内容を記憶可能な不揮発性メモリと、前記トランスポートデコード手段で取得された音声データをデコード可能な音声デコード手段と、前記復調手段、前記トランスポートデコード手段、前記音声デコード手段の制御を行う制御手段を備え、予めユーザーの設定により放送で送られてくる番組情報に応じ、音声速度を変換した音声データをデコード可能なことを特徴とするデジタル放送対応受信端末装置。
【請求項２】
映像情報や音声情報、あるいは文字情報等で構成される放送データを送信可能なデジタル放送において、音声情報を複数種類放送することが可能で、そのうち少なくとも一種類に音声速度を変換した音声データが含まれ、この音声速度を変換した音声データが放送されていることを判別できる情報が番組情報内に含まれることを特徴とするデジタル放送方式。
【請求項３】
前記請求項１の受信端末装置は、前記請求項２の音声速度を変換した音声データが放送されていることを判別できる情報が番組情報内に含まれる場合に、自動的に音声速度を変換した音声データを選択、デコード出力可能な請求項１記載のデジタル放送対応受信端末装置。
【発明の詳細な説明】
【技術分野】
【０００１】
本発明は、デジタル信号の処理装置に係わり、更に詳しくはデジタル放送信号処理、データ信号処理に関する。
【背景技術】
【０００２】
従来のテレビジョン受像機の構成例を図８に示す。以下、従来のテレビジョン受像機について図８を参照しながら説明する。図８は従来のテレビジョン受像機のブロック図である。
ここでは、高齢者の視覚特性、聴覚特性に適した画像と音声とを再生する高齢者支援機能を備えた実施例について構成を説明する。
【０００３】
１０１はチューナー部、１０２は映像復調部、１０３は輝度制御部、１０４は文字放送デコード部、１０５はプロセス部、１０６は画像表示部、１０７は話速変換部、１０８は音声再生部、１０９は変換速度設定部である。
【０００４】
放送波信号ＴＳは、チューナー部１０１で所定の復調処理を行い、ベースバンドの映像信号ＳＶと音声信号ＳＡを復調する。
【０００５】
映像信号ＳＶの一方は、映像復調部１０２で所定の復調処理、すなわち輝度信号と搬送色信号の分離、搬送色信号の復調を行い、輝度信号ＳＹと色差信号ＳＣを復調する。
【０００６】
輝度制御部１０３は、制御信号ＳＰＣが支援再生モード時に、輝度信号ＳＹの平均輝度レベルに応じて輝度信号レベルを非線形に変化させる輝度制御処理を行い、出力信号ＹＳ’に高齢者は見やすい画像となる絵作り操作を行った信号を得る。一方、標準再生モードの時は、入力信号をそのまま出力する。
【０００７】
文字放送デコード部１０４は、映像信号ＳＶに多重して伝送される文字多重放送などのデータ放送の復号処理を行い、パターン情報ＳＭを復号する。制御信号ＳＰＣは標準再生モードの時は所定の復号処理を行う。一方、支援再生モードの時は、所定の復号処理の他に、文字サイズが閾値以下の小さいものは文字サイズを大きなものに変更する処理を行う。そして、高齢者が見やすい文字サイズのパターン情報を復号する。
【０００８】
プロセス部１０５は、輪郭強調や雑音除去などの画質改善の信号処理と３原色ＲＧＢ信号への変換処理を行い、３原色信号系の信号ＳＤを出力する。そして、画像表示部６で画像を再生する。
【０００９】
音声信号ＳＡは話速変換部１０７で発生音声を聞き取りやすい速度に変換する話速変換の信号処理を行う。制御信号ＳＰＣが標準再生モードの時は、入力信号ＳＡをそのまま出力信号ＳＡ‘に出力する。一方、支援再生モードの時は、制御信号ＳＰＣに含まれる変換速度情報で定まる速度で、発生音声を聞き取りやすい速度に変換する話速変換の信号処理を行う。そして、音声再生部１０８でこの信号を再生する。
【００１０】
変換速度設定部１０９は、標準再生モードと支援再生モードとの選択および話速変換の速度設定を行う。この機能は、例えば、リモコン端子部に設けた高齢者支援ボタンの操作などで実現する。
【特許文献１】特開平９−２４７５６３号公報
【発明の開示】
【発明が解決しようとする課題】
【００１１】
従来のテレビジョン受像機の音声表示は、放送波の通常音声を受像機側で速度変換処理させることで、高齢者などに聞きやすく構成されていた。
【００１２】
また、ユーザー設定により通常速度の音声か速度を変換した話速変換音声を選択、出力するものであり、標準再生モードと支援再生モードの切り替えもユーザーの指示により動作するもので、放送波の情報によって適応的に切り替わるものではなかった。
【課題を解決するための手段】
【００１３】
この課題を解決するために本発明は、映像情報や音声情報、あるいは文字情報等で構成される放送データを送信可能なデジタル放送において、音声情報を複数種類放送することが可能で、そのうち少なくとも一種類に音声速度を変換した音声データが含まれるようにした。
【００１４】
また、この音声速度を変換した音声データが放送されていることを判別できる情報が番組情報内に含まれるようにした。
【００１５】
また、デジタル放送を受信可能なチューナーと、チューナー出力より所望のトランスポートストリームを選局する復調手段と、復調手段の出力するトランスポートストリームから映像、音声データの選択、出力、および番組情報のデータの選択、取得を行うトランスポートデコード手段と、番組情報のデータの展開・蓄積を行うＲＡＭメモリと、トランスポートデコード手段で取得された映像データをデコード可能な映像デコード手段と、トランスポートデコード手段で取得された音声データをデコード可能な音声デコード手段と、前記復調手段、前記トランスポートデコード手段、前記映像デコード手段、前記音声デコード手段の制御を行う制御手段で構成し、予めユーザーの設定により放送で送られてくる番組情報に応じ、音声速度を変換した音声データをデコード可能とした。
【００１６】
また、上記と同じ構成で音声速度を変換した音声データが放送されていることを判別できる情報が番組情報内に含まれる場合に、自動的に音声速度を変換した音声データを選択、デコード出力可能とした。
【発明の効果】
【００１７】
以上のように本発明によれば、映像情報や音声情報、あるいは文字情報等で構成される放送データを送信可能なデジタル放送において、音声情報を複数種類放送することが可能で、そのうち少なくとも一種類に音声速度を変換した音声データが含まれることで、高齢者ユーザーなどがテレビ放送で速い音声放送では聞き取りにくい場合、なかなか内容の理解をできない問題点を、速度変換された音声放送を行うことで、聴力の落ちた高齢者の方々など音声情報取得が容易に出来るようになる。
【００１８】
また、この音声速度を変換した音声データが放送されていることを判別できる情報が番組情報内に含まれることで、放送で送られてくる番組情報に応じ自動的に音声速度を変換した音声データを選択、デコード出力可能となる。
【発明を実施するための最良の形態】
【００１９】
（実施の形態１）
本発明は、放送波で速度変換された音声を送出し、受信端末側でユーザーの指示により速度変換した音声を表示可能なことを最も主要な特徴とするものである。通常の音声を速いと感じる高齢者などに全ての情報を入手可能にさせるという目的を、本発明の放送および受信端末装置で実現した。
【００２０】
以下に本発明のデジタル放送装置の、第一の実施の形態例について図１、図２、図３、図４、図５、図６を用いて説明する。ここでは、例として日本でのデジタルテレビ放送について述べる。
【００２１】
図１において、２１は映像信号入力可能で、映像信号をＭＰＥＧ信号にエンコード可能な映像エンコーダ、２２は音声信号を入力可能で、音声信号をＭＰＥＧ信号にエンコード可能な第一の音声エンコーダ、２３は２２に入力される音声の速度を変換した信号を入力可能で、速度変換した音声信号をＭＰＥＧ信号にエンコード可能な第二の音声エンコーダ、２４は番組情報を生成、出力する番組情報生成装置、２５は２１〜２４の装置からの出力の多重化を行いトランスポートストリームとして出力可能な多重化装置、２６は放送方式として規定されている変調方式に変調可能な変調手段、２７は前記変調手段２６からの出力を送出アンテナにアップリンク可能な電波送出手段、２８は送出アンテナへの出力端子である。
【００２２】
以上のように構成された図１のデジタル放送装置について、以下その動作を説明する。その動作は図６にフローチャートとして示す。
【００２３】
デジタルテレビ放送において、映像、音声、番組情報などのデータ情報は放送装置により作成される。映像信号はビデオテープやデジタルカメラなどの映像素材を映像エンコーダ２１に入力し、その信号はＭＰＥＧ２ビデオストリームとしてエンコードされて出力される。
【００２４】
音声信号は映像同様、音声素材を音声エンコーダ２２に入力し、その信号はＭＰＥＧ２音声ストリームとしてエンコードされて出力される。
【００２５】
また、ＰＡＴ（Ｐｒｏｇｒａｍ  Ａｓｓｏｃｉａｔｉｏｎ  Ｔａｂｌｅ）やＰＭＴ（Ｐｒｏｇｒａｍ  Ｍａｐ  Ｔａｂｌｅ）などの番組配列情報を生成し、番組内容やジャンル、放送時刻、有料番組等の番組情報は番組情報生成装置２４により生成、出力される。通常の放送は上記３つの装置を用いることで放送信号を作成し、送出される。さらに第二の音声エンコーダ２３では第一の音声エンコーダ２２に入力される音声素材を速度変換した音声素材を入力し、ＭＰＥＧ２音声ストリームとしてエンコードされて出力される。
【００２６】
多重化装置２５では映像エンコーダ２１、第一の音声エンコーダ２２、第二の音声エンコーダ２３、番組情報生成装置２４の出力ストリームをＭＰＥＧ２ｓｙｓｔｅｍとして多重化し、変調手段２６へ出力する。
【００２７】
変調手段２６では放送方式に合った変調を行い（例えば、日本のＢＳデジタル、ＣＳ１１０デジタルでは８ＰＳＫ変調、地上デジタル放送ではＯＦＤＭ変調）、電波送出手段２８へ変調信号を出力する。電波送出手段２８では、送出アンテナへアップリンクを行い放送波として送出する。
【００２８】
音声速度変換された音声を放送するために、映像エンコーダ２１と第一の音声エンコーダ２２とで構成された放送装置に加え、第二の音声エンコーダ２３とで放送装置システムは構成される。第二の音声エンコーダ２３には音声素材として、第一の音声エンコーダに入力されている音声の速度を変換した音声素材を入力しＭＰＥＧ信号にエンコードして多重化装置２６へと出力される。
【００２９】
多重化された音声は図２のようなストリーム構成で送出される。図２において、ＡＡＵとはＡｕｄｉｏ  Ａｃｃｅｓｓ  Ｕｎｉｔの略であり、復号する際の単位であり、受信機はこれらの単位ごとにデコードを行う。ＭＰＥＧストリームではこのＡＡＵ内のＡｕｄｉｏ  Ｄａｔａに複数の音声を多重することが可能であり、通常音声と速度変換された音声とを多重化し、放送として送出可能となる。
【００３０】
次に、本発明のデジタル放送受信端末装置の形態例について説明する。ここでの放送内容は前述の映像、通常音声、速度変換された音声、番組情報が多重されている場合である。
【００３１】
１はアンテナ信号入力端子、２は前記アンテナ信号入力端子１で受信された放送信号の選局を行うデジタルチューナー、３は前記デジタルチューナーで選局された信号の放送方式に合わせて復調する復調手段、４は放送データであるトランスポートストリーム情報に従い、パケットＩＤ選択、同期再生、番組情報選択可能なトランスポートデコード手段、５はトランスポートデコード手段４からの映像ストリームパケットをデコード可能な映像デコード手段、６はトランスポートデコード手段４からの音声ストリームパケットをデコード可能な音声デコード手段、７は復調手段３、トランスポートデコード手段４、映像デコード手段５、音声デコード手段６、ＲＡＭメモリ８、プログラム用ＲＯＭ９、不揮発性メモリ１０の制御を行うＣＰＵ、８は字幕情報のデータやＯＳＤ映像情報の展開・蓄積を行うＲＡＭメモリ、９は受信端末装置の制御および機能実行を行うためのプログラムを格納可能な不揮発性メモリ、１０はユーザーが速度変換された音声を視聴したい番組ジャンルを記憶可能な不揮発性メモリ、１１は映像デコード手段５の出力端子、１２は音声デコード手段６の出力端子、１３はユーザーからの操作指示を受信可能なリモコン入力端子である。
【００３２】
以上のように構成された図１のデジタル放送受信端末装置について、以下その動作を説明する。
【００３３】
プログラム用ＲＯＭ９には、受信端末装置の制御および機能実行を行うためのプログラムが格納されており、制御手段７はプログラム用ＲＯＭ９に格納されているプログラムを読み出し、このプログラム基づき各手段の制御を行う。
【００３４】
アンテナで受信された放送信号は、アンテナ信号入力端子から入力されチューナー２に入力される。チューナー２では所望する番組選局が行われる。チューナー２から出力された信号は復調手段３に入力される。復調手段３では、送られてくる放送信号に対応した復調方法で復調し、誤り訂正処理を行い、トランスポートデコード手段４へはトランスポートストリームが出力される。
【００３５】
トランスポートデコード手段４では、パケットＩＤ（ＰＩＤ）処理を行う。これは、トランスポートデコード手段４に設定されたＰＩＤ候補と、入力されたトランスポートストリームパケットから取り出したＰＩＤに一致を検出することが可能であり、ＰＩＤ単位にデータフォーマット処理を行う。データフォーマット処理とは、トランスポートストリームパケットから指定のデータ形式のデータを抽出する処理である。また、ＡＲＩＢ、ＤＶＢの準拠の放送では、ＳＩ（Ｓｅｒｖｉｃｅ  Ｉｎｆｏｒｍａｔｉｏｎ）セクションが数Ｍｂｐｓの帯域を使用して送られてくる。ここで予めセクションフィルタ条件を登録でき、この内、一つでも一致するセクションヘッダ（セクションデータバイト前での各フィールド）を持つセクションを抜き出すことができる。このＳＩ情報は常にＣＰＵで管理することができる。
【００３６】
そして映像ストリームは映像デコード手段５へ、音声ストリームは音声デコード手段６へ、ＲＡＭメモリ８には、トランスポートデコード手段４で取得されたＳＩ情報が展開、蓄積される。
【００３７】
制御手段７は、ユーザーからの操作指示を受信可能なリモコン入力端子１３からの信号を認識し、ユーザーが音声速度変換させたい図３、図４および図５に示す番組ジャンルを予め設定し、不揮発メモリ１０に格納する。
【００３８】
図３は日本のＰＳＩ／ＳＩ運用規定のコンテント記述子である。これは番組（イベント）のジャンルに関する情報を記述している。図４、図５はコンテント記述子のジャンル大分類（ｃｏｎｔｅｎｔ＿ｎｉｂｂｌｅ＿ｌｅｖｅｌ＿１）とジャンル中分類（ｃｏｎｔｅｎｔ＿ｎｉｂｂｌｅ＿ｌｅｖｅｌ＿２）に関する情報を記述している。ユーザーは予め自分の好みのジャンルを受信機に記憶させ、制御手段７では視聴している番組が好みのジャンルかどうかを比較判断し、一致した場合はトランスポートデコード手段４で速度変換音声情報を取得し、音声デコード手段６へ転送され、一致しなかった場合は通常速度音声を取得し、音声デコード手段６へ転送される。
【００３９】
音声デコード手段６では、入力された音声ストリームをデコード出力し音声出力端子１１へ出力する。
【００４０】
これにより、高齢者ユーザーなどがテレビ放送で速い音声放送では聞き取りにくい場合、なかなか内容の理解をできない問題点を、速度変換された音声放送を行うことで、聴力の落ちた高齢者の方々など音声情報取得が容易に出来るようになる。また音声速度変換させたい番組ジャンルを予め設定でき、好みの番組のみ音声速度変換させることが出来るようになる。
【００４１】
（実施の形態２）
次に、本発明のデジタル放送受信端末装置の、第二の実施の形態例について説明する。ここでは図１、図２、図３、図４、図５、図７を用いて説明する。なお前述した第一の実施の形態例と同じ構成については同じ符号を用い説明を省略する。ここでの放送内容は前述の映像、通常音声、速度変換された音声、番組情報が多重されている場合である。以下に動作を説明する。
【００４２】
図７には第二の実施の形態例のフローチャートを示す。またここでは、放送波では図４に示すジャンル分類の中に「音声速度変換番組」を追加して放送を行う。規定されていない部分であればいずれでも構わないが、例えばジャンル大分類で「福祉」の中分類「０ｘ７」などに設定する。
【００４３】
受信装置側では、制御手段７でＲＡＭ８上に展開されたコンテント記述子を判断し、視聴番組の番組ジャンルが「音声速度変換番組」であれば、トランスポートデコード手段４で速度変換音声情報を取得し、音声デコード手段６へ転送され、それ以外の場合は通常速度音声を取得し、音声デコード手段６へ転送される。音声デコード手段６では、入力された音声ストリームをデコード出力し音声出力端子１１へ出力する。
【００４４】
これにより、番組情報内のジャンル内容を追加することで、高齢者ユーザーなどがテレビ放送で速い音声放送では聞き取りにくい場合、なかなか内容の理解をできない問題点を、速度変換された音声放送を行うことで、聴力の落ちた高齢者の方々など音声情報取得が容易に出来るようになる。また放送局が視聴者に対して速度変換された音声でゆっくりと聞いて欲しい番組を音声速度変換させることが出来るようになる。
【産業上の利用可能性】
【００４５】
以上のように本発明によれば、高齢者ユーザーなどがテレビ放送で速い音声放送では聞き取りにくい場合、なかなか内容の理解をできない問題点を、速度変換された音声放送を行うことで、聴力の落ちた高齢者の方々など音声情報取得が容易に出来るようになる効果を有し、高齢者、障害者に優しい放送を目指すデジタル放送分野において有用である。
【００４６】
また、予めユーザーが設定した番組ジャンルにより、通常音声速度か速度変換音声かを自動的に切替可能なため、速い音声での放送などで聞き取りにくい場合に有用である。
また、放送波内の番組ジャンルに音声速度変換番組と分かるコンテント記述子を追加することにより、通常音声速度か速度変換音声かを自動的に切り替え可能なため、放送局が視聴者に対して速度変換された音声でゆっくりと聞いて欲しい番組を音声速度変換させることが可能となり聞き取りやすくできることに有用である。
【図面の簡単な説明】
【００４７】
【図１】本発明のデジタル放送装置および受信端末装置の構成を示す図
【図２】ＭＰＥＧオーディオビットストリームのデータ構造を説明するための図
【図３】ＡＲＩＢ  ＴＲ−Ｂ１４  第４編  地上デジタルテレビジョン放送  ＰＳＩ／ＳＩ運用規定のコンテント記述子を説明するための図
【図４】コンテント記述子のジャンル大分類、中分類を示す図
【図５】コンテント記述子のジャンル大分類、中分類を示す図
【図６】本発明の実施の形態１の動作フローチャート
【図７】本発明の実施の形態２の動作フローチャート
【図８】従来のテレビ放送受信機構成図
【符号の説明】
【００４８】
１    アンテナ信号入力端子
２    チューナー
３    復調手段
４    トランスポートデコード手段
５    映像デコード手段
６    音声デコード手段
７    制御手段
８    ＲＡＭメモリ
９    プログラム用不揮発性メモリ
１０    ユーザー情報格納用不揮発性メモリ
１１    映像出力端子
１２    音声出力端子
１３    リモコン信号入力端子
２１    映像エンコーダ
２２    第一の音声エンコーダ
２３    第二の音声エンコーダ
２４    番組情報生成装置
２５    多重化装置
２６    変調装置
２７    電波送出手段
２８    送出アンテナ入力端子
１０１    チューナー部
１０２    映像復調部
１０３    輝度制御部
１０４    文字放送デコード部
１０５    プロセス部
１０６    画像表示部
１０７    話速変換部
１０８    音声再生部
１０９    変換速度設定部
【図１】
2005303879.tif 000003
【図２】
2005303879.tif 000004
【図３】
2005303879.tif 000005
【図４】
2005303879.tif 000006
【図５】
2005303879.tif 000007
【図６】
2005303879.tif 000008
【図７】
2005303879.tif 000009
【図８】
2005303879.tif 000010